(57)【特許請求の範囲】
【請求項１】
床面（Ｆ）の上方に設けたレール（１）に吊下された状態で移動し得る可動パネル（３，４）を備え、この可動パネル（３，４）に設けた開口（６，７）に対しドア（８，９）をドア駆動手段（Ａ）により開閉可能に支持したドア付き間仕切りにおいて、
前記ドア（８，９）は、床面（Ｆ）に沿って回動可能に支持されたヒンジドア（１０，１２）と、該ヒンジドア（１０，１２）内で床面（Ｆ）に沿って移動可能に支持されたスライドドア（１１，１３）とを有し、
前記ドア駆動手段（Ａ）は、ドアセンサ（５１）からの電気的信号により駆動する駆動部（１９，２２）と、この駆動部（１９，２２）の駆動によりドア（８，９）を開閉させる連動部（２０，２３）とを有していることを特徴とするドア付き間仕切り。
【請求項２】
床面（Ｆ）の上方に設けたレール（１）に吊下された状態で移動し得る可動パネル（５２）を備え、この可動パネル（５２）に設けた開口（５４）に対しドア（５５）をドア駆動手段（Ｂ）により開閉可能に支持したドア付き間仕切りにおいて、
前記ドア（５５）は、前記可動パネル（５２）の移動方向と直交する方向に沿って移動可能な昇降ドア（５５）であり、
前記ドア駆動手段（Ｂ）は、ドアセンサ（５１）からの電気的信号により駆動する駆動部（６５）と、この駆動部（６５）の駆動によりドア（５２）を開閉させる連動部（６４）とを有していることを特徴とするドア付き間仕切り。
【請求項３】
前記開口（６，７，５４）及びドア（８，９，５５）を設けた可動パネル（３，４，５２）は、レール（１）に対し接離するように移動可能に支持した接天部材（１４）と、床面（Ｆ）に対し接離するように移動可能に支持した接床部材（１５）とを備え、前記ドア（８，９，５５）は床面（Ｆ）に対し接離するように移動可能に支持した接床部材（１６）を備えていることを特徴とする請求項１又は２に記載のドア付き間仕切り。
【請求項４】
前記可動パネル（３，４，５２）の接天部材（１４）及び接床部材（１５）を接離させる駆動手段（Ｄ）と、前記ドア（８，９，５５）の接床部材（１６）を接離させる駆動手段（Ｅ）とを備え、
前記可動パネル（３，４，５２）の接天部材駆動手段（Ｄ）は、可動パネル（３，４，５２）に設置されて電気的信号により駆動する駆動部（２６）と、この駆動部（２６）の駆動により接天部材（１４）を接離させる連動部（２７）とを有し、前記可動パネル（３，４，５２）の接床部材駆動手段（Ｅ）は、可動パネル（３，４，５２）に設置されて電気的信号により駆動する駆動部（２６）と、この駆動部（２６）の駆動により接床部材（１５）を接離させる連動部（２８）とを有していることを特徴とする請求項３に記載のドア付き間仕切り。
【請求項５】
前記ドア（８，９，５５）の接床部材駆動手段（Ｅ）は、ドア（８，９，５５）を開いたとき接床部材（１６）を床面（Ｆ）から離間させる駆動機構（３９）と、ドア（８，９，５５）を閉じたとき接床部材（１６）を床面（Ｆ）に接触させる駆動機構（３９）とを備えていることを特徴とする請求項４に記載のドア付き間仕切り。
【請求項６】
電気的信号により駆動する各駆動部（１９，２２，２６，６５）は、可動パネル（３，４，５２）をレール（１）に対し吊下した状態で移動可能に支持するランナー（２）からの給電により、駆動することを特徴とする請求項１から請求項５のうちいずれか１項に記載のドア付き間仕切り。
【請求項７】
ドア（５５）を閉じたとき可動パネル（５２）の開口（５４）とドア（５５）との間に位置するドアシール部材（１６，６３）を設けたことを特徴とする請求項２から請求項６のうちいずれか１項に記載のドア付き間仕切り。
【発明の詳細な説明】
【０００１】
【発明の属する技術分野】
本発明はドア装置を備えた間仕切りに関するものである。
【０００２】
【従来の技術】
一般に、間仕切りにおいては、各可動パネルを互いに閉じた状態のままで所定の可動パネルを必要に応じて通り抜けできれば大変便利である。そのため、互いに開閉可能な各可動パネルのうち所定の可動パネルにドア装置を設けた間仕切りが提案されている。例えば実開昭６０ー１３０９９２号公報に示す従来のドア付き間仕切りにおいては、開口に対しドアが回動可能に支持されて開閉できるようになっている。また、前記各可動パネルには、接天部材を有する接天装置と、接床部材を有する接床装置が設けられている。
【０００３】
【発明が解決しようとする課題】
しかし、前記ドア装置は手動により駆動する構造になっているため、ドアを開閉する場合、ドア装置の操作が面倒であるばかりではなく、荷物を床面に置いてドア装置を操作しなければならない場合もあり、実用上不便であった。また、前記接天装置及び接床装置も手動により駆動する構造になっているため、可動パネルを開閉する場合、接天装置及び接床装置の操作が面倒であるばかりではなく、荷物を床面に置いて接天装置及び接床装置を操作しなければならない場合もあり、実用上不便であった。
【０００４】
この発明は、間仕切りにおいて、ドア装置並びに接天装置及び接床装置を自動化してそれらの操作を容易にすることを目的にしている。
【０００５】
【課題を解決するための手段】
後記実施形態の図面（図１〜５に示す第一実施形態、図６〜１０に示す第二実施形態、図１１〜１４に示す第三実施形態）の符号を援用して、本発明を説明する。
【０００６】
請求項１及び２の発明にかかるドア付き間仕切りは、下記の構成を有している。
互いに隣接する空間を開閉するように移動し得る可動パネル（３，４，５２）を備えている。この可動パネル（３，４，５２）に設けた開口（６，７，５４）に対しドア（８，９，５５）をドア駆動手段（Ａ，Ｂ，Ｃ）により開閉可能に支持している。前記ドア駆動手段（Ａ，Ｂ，Ｃ）は、ドアセンサ（５１）からの電気的信号により駆動する駆動部（１９，２２，６５）と、この駆動部（１９，２２，６５）の駆動によりドア（８，９，５５）を開閉させる連動部（２０，２３，６４）とを有している。
請求項１の発明は、前記ドア（８，９）は、床面（Ｆ）に沿って回動可能に支持されたヒンジドア（１０，１２）と、該ヒンジドア（１０，１２）内で床面（Ｆ）に沿って移動可能に支持されたスライドドア（１１，１３）とを有していることを特徴とする。
請求項２の発明は、前記ドア（５５）は、前記可動パネル（５２）の移動方向と直交する方向に沿って移動可能な昇降ドア（５５）であることを特徴とする。
【０００７】
請求項３の発明は、請求項１又は２の発明に下記の構成を追加している。
前記開口（６，７，５４）及びドア（８，９，５５）を設けた可動パネル（３，４，５２）は、レール（１）に対し接離するように移動可能に支持した接天部材（１４）と、床面（Ｆ）に対し接離するように移動可能に支持した接床部材（１５）とを備えている。前記ドア（８，９，５５）は床面（Ｆ）に対し接離するように移動可能に支持した接床部材（１６）を備えている。
【０００８】
請求項４の発明は、請求項３の発明に下記の構成を追加している。
前記可動パネル（３，４，５２）の接天部材（１４）及び接床部材（１５）を接離させる駆動手段（Ｄ）と、前記ドア（８，９，５５）の接床部材（１６）を接離させる駆動手段（Ｅ）とを備えている。前記可動パネル（３，４，５２）の接天部材駆動手段（Ｄ）は、可動パネル（３，４，５２）に設置されて電気的信号により駆動する駆動部（２６）と、この駆動部（２６）の駆動により接天部材（１４）を接離させる連動部（２７）とを有している。前記可動パネル（３，４，５２）の接床部材駆動手段（Ｄ）は、可動パネル（３，４，５２）に設置されて電気的信号により駆動する駆動部（２６）と、この駆動部（２６）の駆動により接床部材（１５）を接離させる連動部（２８）とを有している。
【０００９】
請求項５の発明は、請求項４の発明に下記の構成を追加している。
前記ドア（８，９，５５）の接床部材駆動手段（Ｅ）は、ドア（８，９，５５）を開いたとき接床部材（１６）を床面（Ｆ）から離間させる駆動機構（３９）と、ドア（８，９，５５）を閉じたとき接床部材（１６）を床面（Ｆ）に接触させる駆動機構（３９）とを備えている。
【００１０】
請求項６の発明は、請求項１から請求項５のうちいずれか１項の発明に下記の構成を追加している。
電気的信号により駆動する各駆動部（１９，２２，２６，６５）は、可動パネル（３，４，５２）をレール（１）に対し吊下した状態で移動可能に支持するランナー（２）からの給電により、駆動する。
【００１１】
請求項７の発明は、請求項２から請求項６のうちいずれか１項の発明に下記の構成を追加している。
ドア（５５）を閉じたとき可動パネル（５２）の開口（５４）とドア（５５）との間に位置するドアシール部材（６３，１６）を設けている。
【００１２】
【発明の実施形態】
〔第一実施形態〕
まず、本発明の第一実施形態に係る間仕切りを図１〜５を参照して説明する。
【００１３】
＜図１及び図２に概略的に示すドア付き間仕切りの概要＞
この間仕切りにおいては、レール１が床面Ｆの上方で延設され、このレール１を走行し得る各ランナー２に各可動パネル３，４，５が吊下された状態で支持されてレール１と床面Ｆとの間で互いに並設されている。この各可動パネル３，４，５は、互いに隣接する空間を開閉するようにレール１に沿って移動し得る。
【００１４】
各可動パネル３，４，５のうち互いに隣接する所定の両可動パネル３，４においては、それぞれ、片側開口６，７に対し片側ドア８，９を開閉可能に支持したドア装置Ｐが設けられている。一方の可動パネル３側で、片側ドア８は、床面Ｆに沿って回動可能に支持されたヒンジドア１０と、このヒンジドア１０内で床面Ｆに沿って移動可能に支持されたスライドドア１１とを有している。他方の可動パネル４側で、片側ドア９は、床面Ｆに沿って回動可能に支持されたヒンジドア１２と、このヒンジドア１２内で床面Ｆに沿って移動可能に支持されたスライドドア１３とを有している。一方の可動パネル３側で、片側開口６は、片側ドア８においてスライドドア１１により開閉される片側第一開口６ａと、ヒンジドア１０により開閉される片側第二開口６ｂとを有している。他方の可動パネル４側で、片側開口７は、片側ドア９においてスライドドア１３により開閉される片側第一開口７ａと、ヒンジドア１２により開閉される片側第二開口７ｂとを有している。一方の片側第二開口６ｂに隣接する一方の片側第一開口６ａと、他方の片側第二開口７ｂに隣接する他方の片側第一開口７ａとが互いに隣接した位置に配設されているとともに、一方の片側第二開口６ｂと他方の片側第二開口７ｂとがこれらの片側第一開口６ａ，７ａを挟んだ位置に配設されている。
【００１５】
前記可動パネル３，４及びそのドア８，９においては、前記ヒンジドア１０，１２を開閉させるヒンジドア駆動手段Ａ（後で詳述）と、前記スライドドア１１，１３を開閉させるスライドドア駆動手段Ａ（後で詳述）とを備えている。
【００１６】
前記可動パネル３，４においては、接天部材１４をレール１に対し接離させる接天部材駆動手段Ｄ（後で詳述）と、接床部材１５を床面Ｆに対し接離させる接床部材駆動手段Ｄ（後で詳述）とを備えている。また、前記ドア８，９においては、接床部材１６を床面Ｆに対し接離させる接床部材駆動手段Ｅ（後で詳述）を備えている。
【００１７】
そのほか、可動パネル駆動手段Ｇ（後で詳述）を備えている。
前記可動パネル３，４においては、このヒンジドア駆動手段Ａやスライドドア駆動手段Ａや接天部材駆動手段Ｄや接床部材駆動手段Ｄや可動パネル駆動手段Ｇに対する電気的制御手段Ｈ（後で詳述）を備えている。
【００１８】
＜前記ヒンジドア駆動手段Ａ及び前記スライドドア駆動手段Ａ＞
前記ヒンジドア１０，１２は、前記片側第二開口６ｂ，７ｂで、各ヒンジ１７により回動可能に支持されている。このヒンジドア１０，１２内にガイド１８が延設されている。前記スライドドア１１，１３は、このガイド１８に吊下された状態で支持され、ヒンジドア１０，１２に対し出没するように移動可能になっている。
【００１９】
このヒンジドア駆動手段Ａは、可動パネル３，４に設置された電動モータ１９（電気的信号により駆動する駆動部）と、この電動モータ１９の駆動によりヒンジドア１０，１２を回動させる連動部２０とを有している。この連動部２０においては、ヒンジドア１０，１２とともに回動するヒンジ１７の回動中心軸１７ａに対し電動モータ１９の回転がベルト２１により伝達される。
【００２０】
このスライドドア駆動手段Ａは、ヒンジドア１０，１２に設置された電動モータ２２（電気的信号により駆動する駆動部）と、この電動モータ２２の駆動によりスライドドア１１，１３を移動させる連動部２３とを有している。この連動部２３においては、スライドドア１１，１３に雌ねじ体２４が取着され、電動モータ２２により回転する雄ねじ棒２５がこの雌ねじ体２４に螺合されている。
【００２１】
＜前記接天部材駆動手段Ｄ及び前記接床部材駆動手段Ｄ＞
この接天部材駆動手段Ｄにおいては、可動パネル３，４に設置された電動モータ２６（電気的信号により駆動する駆動部）と、この電動モータ２６の駆動により接天部材１４を接離させる連動部２７とを有している。この連動部２７においては、電動モータ２６により回転する雌ねじ体２９に雄ねじ棒３０が螺合され、固定中心軸３１を中心に回動するレバー３２にこの雄ねじ棒３０が連結されているとともに、このレバー３２に接天部材１４が連結されている。この接天部材１４は、可動パネル３，４に取着されたブラケット３３に対し上下動可能に支持され、圧縮コイルばね３４により下方へ付勢されている。電動モータ２６が回転すると、雌ねじ体２９に対し雄ねじ棒３０が上下動し、レバー３２が回動して接天部材１４が上下動する。
【００２２】
この接床部材駆動手段Ｄにおいては、前記電動モータ２６と、この電動モータ２６の駆動により接床部材１５を接離させる連動部２８とを有している。この連動部２８においては、電動モータ２６により回転する雌ねじ体３５に雄ねじ棒３６が螺合され、固定中心軸３７を中心に回動するレバー３８にこの雄ねじ棒３６が連結されているとともに、このレバー３８に接床部材１５が連結されている。電動モータ２６が回転すると、雌ねじ体３５に対し雄ねじ棒３６が上下動し、レバー３８が回動して接床部材１５が上下動する。
【００２３】
＜前記接床部材駆動手段Ｅ＞
この接床部材駆動手段Ｅは、スライドドア１１，１３をヒンジドア１０，１２内へ没入させるように移動させて開いたとき接床部材１６を床面Ｆから離間させるとともに、スライドドア１１，１３をヒンジドア１０，１２内から突出させるように移動させて閉じたとき接床部材１６を床面Ｆに接触させる駆動機構３９をスライドドア１１，１３に備えている。この駆動機構３９においては、固定中心軸４０を中心に回動するレバー４１にロッド４２が連結されているとともに、このレバー４１に接床部材１６が連結されている。この接床部材１６は、可動パネル３，４に取着されたブラケット４３に対し上下動可能に支持され、圧縮コイルばね４４により上方へ付勢されている。さらに、この駆動機構３９においては、両スライドドア１１，１３の相対向面側でレバー４５が固定中心軸４６により回動可能に支持され、ロッド４２に支持された圧縮コイルばね４７がこのレバー４５に圧接されている。
【００２４】
＜前記可動パネル駆動手段Ｇ＞
前記レール１内にトロリーレール４８が延設され、前記各ランナー２に取り付けられた集電子４９がこのトロリーレール４８に接触している。各ランナー２は、この集電子４９からの給電により電動モータ（図示せず）が駆動して、自走する。
【００２５】
＜前記電気的制御手段Ｈ＞
前記可動パネル３，４内にコントローラ５０が設置されている。このコントローラ５０は、前記ヒンジドア駆動手段Ａの電動モータ１９及びスライドドア駆動手段Ａの電動モータ２２や、前記接天部材駆動手段Ｄ及び接床部材駆動手段Ｄの電動モータ２６や、前記各ランナー２の電動モータ（図示せず）等に接続されて、これらを駆動制御する。このコントローラ５０は前記可動パネル駆動手段Ｇの集電子４９から給電している。図１に示すように、可動パネル３の両面にはタッチセンサ５１（ドアセンサ）が取り付けられ、コントローラ５０に接続されている。図示しないが、このタッチセンサ５１は閉モード部と第一開モード部と第二開モード部と第三開モード部を有している。
【００２６】
＜各可動パネル３，４，５を閉じたまま両ドア８，９を開く場合の一例＞
＊  図１（ａ）及び図２に示す両可動パネル３，４の状態
前記各タッチセンサ５１のうちいずれかのものが第三開モード部に設定されていると、下記の状態になる。
【００２７】
一方の片側開口６において、一方の片側ドア８のスライドドア１１が片側第一開口６ａを閉じているとともに、一方の片側ドア８のヒンジドア１０が片側第二開口６ｂを閉じている。また、他方の片側開口７において、他方の片側ドア９のスライドドア１３が片側第一開口７ａを閉じているとともに、他方の片側ドア９のヒンジドア１２が片側第二開口７ｂを閉じている。
【００２８】
前記接天部材駆動手段Ｄ及び接床部材駆動手段Ｄにおいては、接天部材１４が上動してレール１に接触しているとともに、接床部材１５が下動して床面Ｆに接触している。
【００２９】
前記接床部材駆動手段Ｅにおいては、両スライドドア１１，１３が互いに閉じられているため、それらのレバー４５が当接して圧縮コイルばね４７の弾性力に抗して回動し、ロッド４２及びレバー４１により接床部材１６が下動して床面Ｆに接触している。
【００３０】
＊  図１（ｂ）及び図３に示す両可動パネル３，４の状態
図１（ａ）及び図２に示す状態で、前記各タッチセンサ５１のうちいずれかのものに触れてこれを第三開モード部に設定すると、コントローラ５０は、このタッチセンサ５１からの電気的信号に基づき、前記スライドドア駆動手段Ａの電動モータ２２を駆動する。そのため、雌ねじ体２４が雄ねじ棒２５に沿って移動し、まず一方の片側ドア８のスライドドア１１及び他方の片側ドア９のスライドドア１３が両片側ドア８，９のヒンジドア１０，１２内に没入して片側第一開口６ａ及び片側第一開口７ａのみが開く。その後、コントローラ５０はこの電動モータ２２を停止させる。この場合、前記接床部材駆動手段Ｅにおいては、両スライドドア１１，１３が互いに開くため、それらのレバー４５が離れて圧縮コイルばね４７の弾性力により回動し、ロッド４２及びレバー４１により接床部材１６が上動して間隙Ｓだけ床面Ｆから離れる。
【００３１】
＊  図１（ｃ）に示す両可動パネル３，４の状態
図１（ｂ）及び図３に示す状態で、コントローラ５０は、一方のヒンジドア駆動手段Ａの電動モータ１９を駆動する。そのため、一方の片側ドア８においてスライドドア１１を収納したヒンジドア１０が回動して片側第二開口６ｂが開く。その後、コントローラ５０はこの電動モータ１９を停止させる。
【００３２】
次に、コントローラ５０は、他方のヒンジドア駆動手段Ａの電動モータ１９を駆動する。そのため、他方の片側ドア９においてスライドドア１３を収納したヒンジドア１２が回動して片側第二開口７ｂも開く。その後、コントローラ５０はこの電動モータ１９を停止させる。
【００３３】
＊  詳述しないが、図１（ｃ）に示す状態から両ドア８，９を閉じる場合には、逆に、図１（ｂ）及び図３の状態を経て図１（ａ）及び図２の状態に戻る。
＊  詳述しないが、図１（ａ）及び図２に示す状態で、前記各タッチセンサ５１のうちいずれかのものに触れてこれを第一開モード部に設定すると、前述したように、図１（ｂ）及び図３に示す両可動パネル３，４の状態（片側第一開口６ａ及び片側第一開口７ａのみが開いた状態）になる。
【００３４】
また、図１（ａ）及び図２に示す状態で、前記各タッチセンサ５１のうちいずれかのものに触れてこれを第二開モード部に設定すると、前述したように、片側第一開口６ａ及び片側第一開口７ａに加えて、片側第二開口６ｂも開いた状態になる。
【００３５】
＜両ドア８，９を閉じたまま各可動パネル３，４，５を開く場合＞
＊  図４に示す両可動パネル３，４の状態
図１（ａ）及び図２に示す状態で、図示しない操作スイッチからの電気的信号に基づき、コントローラ５０は、前記接天部材駆動手段Ｄ及び接床部材駆動手段Ｄの電動モータ２６を駆動する。そのため、雄ねじ棒３０，３６が雌ねじ体２９，３５を移動し、レバー３２により接天部材１４が下動してレール１から間隙Ｓだけ離れるとともに、レバー３８により接床部材１５が上動して床面Ｆから間隙Ｓだけ離れる。その後、コントローラ５０はこの電動モータ２６を停止させる。
【００３６】
＊  図５に示す両可動パネル３，４の状態
図４に示す状態で、コントローラ５０は、各可動パネル３，４，５において前記可動パネル駆動手段Ｇの各ランナー２の電動モータ（図示せず）を駆動する。そのため、両可動パネル３，４が互いに開く。この場合、前記接床部材駆動手段Ｅにおいては、両スライドドア１１，１３のレバー４５が互いに離れて圧縮コイルばね４７の弾性力により回動し、ロッド４２及びレバー４１により接床部材１６が上動して間隙Ｓだけ床面Ｆから離れる。その後、コントローラ５０は各ランナー２の電動モータを停止させる。
【００３７】
＊  詳述しないが、図５に示す状態から各可動パネル３，４，５を閉じる場合には、逆に、図４の状態を経て図２の状態に戻る。
＜第一実施形態の特徴＞
第一実施形態は下記＊の特徴（後記する他の技術的思想以外）を有する。
【００３８】
＊  荷物を持ったまま単にタッチセンサ５１に触れるだけで、このタッチセンサ５１からの電気的信号により、ドア８，９を自動的に開閉させることができる。従って、ドア装置Ｐの操作を容易に行うことができ、実用上便利である。
【００３９】
＊  接天部材１４及び接床部材１５，１６により、間仕切りの防音機能を高めることができる。
＊  可動パネル３，４の接天部材駆動手段Ｄ及び接床部材駆動手段Ｄを自動的に駆動させることができる。従って、その操作を容易に行うことができ、実用上便利である。また、接天部材駆動手段Ｄ及び接床部材駆動手段Ｄにより、接天部材１４及び接床部材１５の接離を円滑に行うことができる。
【００４０】
＊  ドア８，９の接床部材駆動手段Ｅにより、接床部材１６の接離を円滑に行うことができる。
＊  ランナー２を利用して、各電動モータ１９，２２，２６への給電を容易に行うことができる。
【００４１】
〔第二実施形態〕
次に、本発明の第二実施形態にかかる間仕切りを図６〜１０を参照して説明する。
【００４２】
＜図６及び図８に概略的に示すドア付き間仕切りの概要＞
この間仕切りにおいては、レール１が床面Ｆの上方で延設され、このレール１を走行し得る各ランナー２に各可動パネル５２，５３が吊下された状態で支持されてレール１と床面Ｆとの間で並設されている。この各可動パネル５２，５３は、互いに隣接する空間を開閉するようにレール１に沿って移動し得る。
【００４３】
各可動パネル５２，５３のうち所定の可動パネル５２においては、開口５４に対し昇降ドア５５を開閉可能に支持したドア装置Ｐが設けられている。この可動パネル５２はドア駆動手段Ｂ（後で詳述）を備えている。
【００４４】
前記可動パネル５２においては、接天部材１４をレール１に対し接離させる接天部材駆動手段Ｄ（後で詳述）と、接床部材１５を床面Ｆに対し接離させる接床部材駆動手段Ｄ（後で詳述）とを備えている。また、前記昇降ドア５５においては、図７に示すように、接床部材１６（ドアシール部材）を床面Ｆに対し接離させる接床部材駆動手段Ｅ（後で詳述）を備えている。
【００４５】
そのほか、可動パネル駆動手段Ｇ（後で詳述）を備えている。
＜前記ドア駆動手段Ｂ＞
図７，９に示すように、前記昇降ドア５５は、中央に位置する支持枠５６と、この支持枠５６の両側に位置する両ドア板５７と、この支持枠５６に対し両ドア板５７を接近離間させる接離機構５８とを備えている。
【００４６】
この接離機構５８においては、支持枠５６に雄ねじ棒５９が回動可能に支持されているとともに、この雄ねじ棒５９に両雌ねじ体６０が螺合され、この両雌ねじ体６０に対し回動可能に連結された各リンク６１が前記両ドア板５７の内側に対し回動可能に連結されている。さらに、支持枠５６に電動モータ６２（電気的信号により駆動する駆動部）が取り付けられ、この電動モータ６２により雄ねじ棒５９が回動する。そして、この雄ねじ棒５９の回動に伴い、両雌ねじ体６０が互いに接近離間すると、各リンク６１を介して両ドア板５７が支持枠５６に対し接近離間する。
【００４７】
前記両ドア板５７の外側において、その上辺部及び両側辺部でドアシール部材６３がコ字形状に貼着されている。
前記昇降ドア５５の支持枠５６は各昇降ワイヤ６４（連動部）により吊下されている。この各昇降ワイヤ６４は、電動モータ６５（電気的信号により駆動する駆動部）により回転するドラム６６に対し、巻取りまたは巻戻し可能になっている。そして、各昇降ワイヤ６４の巻取りまたは巻戻しに伴い、ドア５５は両ガイド６７に沿って昇降し、前記開口５４を開閉する。
【００４８】
＜前記接天部材駆動手段Ｄ及び前記接床部材駆動手段Ｄ＞
この接天部材駆動手段Ｄ及び接床部材駆動手段Ｄは、前記開口５４及び昇降ドア５５の両側に設置され、そのほかは第一実施形態の場合と同様な構成になっている。
【００４９】
＜前記接床部材駆動手段Ｅ＞
この接床部材駆動手段Ｅにおいては、前記昇降ドア５５の両ドア板５７の下辺部で、前記接床部材１６（ドアシール部材）が挿嵌され、各圧縮コイルばね６８により下方へ付勢されて突出している。前記ドアシール部材６３はこの接床部材１６（ドアシール部材）まで延設され、それらが両ドア板５７の周辺部全体に対応する。
【００５０】
＜前記可動パネル駆動手段Ｇ＞
この可動パネル駆動手段Ｇは第一実施形態の場合と同様な構成になっている。
＜図示しない電気的制御手段＞
第一実施形態の電気的制御手段Ｈと同様に、前記可動パネル５２内にコントローラが設置されている。このコントローラは、前記ドア駆動手段Ｂの電動モータ６５や、前記接天部材駆動手段Ｄ及び接床部材駆動手段Ｄの電動モータ２６や、前記各ランナー２の電動モータ（図示せず）等に接続されて、これらを駆動制御する。前記可動パネル５２にはタッチセンサ５１（ドアセンサ）が取り付けられ、コントローラに接続されている。このタッチセンサ５１は閉モード部と開モード部とを有している。
【００５１】
＜各可動パネル５２，５３を閉じたままドア５５を開く場合＞
＊  図６及び図７（ａ）に示す可動パネル５２の状態
タッチセンサ５１が閉モード部に設定されていると、下記の状態になる。
【００５２】
昇降ドア５５が開口５４まで下降し、両ドア板５７が支持枠５６に対し離間してドアシール部材６３が開口５４の上辺部５４ａ及び両側辺部５４ｂに圧接され、開口５４が閉じられている。
【００５３】
前記接天部材駆動手段Ｄ及び接床部材駆動手段Ｄにおいては、接天部材１４が上動してレール１に接触しているとともに、接床部材１５が下動して床面Ｆに接触している。
【００５４】
前記接床部材駆動手段Ｅにおいては、接床部材１６（ドアシール部材）が床面Ｆに接触し、各圧縮コイルばね６８の弾性力に抗して上動している。
＊  図７（ｂ）に示す可動パネル５２の状態
タッチセンサ５１に触れてこれを開モード部に設定すると、下記の状態になる。
【００５５】
図７（ａ）に示す状態で、電動モータ６２の回転により両ドア板５７が支持枠５６に対し接近してドアシール部材６３が開口５４の上辺部５４ａ及び両側辺部５４ｂから離れる。次に、電動モータ６５の回転により昇降ワイヤ６４がドラム６６に巻き取られて昇降ドア５５が開口５４で上昇し始める。この場合、前記接床部材駆動手段Ｅにおいては、接床部材１６（ドアシール部材）が圧縮コイルばね６８の弾性力により下動する。
【００５６】
＊  図８及び図９（ａ）に示す可動パネル５２の状態
図７（ｂ）に示す状態で、昇降ドア５５がさらに上昇して開口５４を開く。
＊  図９（ｂ）に示す可動パネル５２の状態
図９（ａ）に示す状態で、電動モータ６２の回転により両ドア板５７が支持枠５６に対し離間してドアシール部材６３が可動パネル５２の内側に圧接される。
【００５７】
＊  詳述しないが、図９（ｂ）に示す状態からドア５５を閉じる場合に、タッチセンサ５１に触れてこれを閉モード部に設定すると、逆に、図８及び図９（ａ）の状態から図７（ｂ）の状態を経て図６及び図７（ａ）の状態に戻る。
【００５８】
＜ドア５５を閉じたまま各可動パネル５２，５３を開く場合＞
＊  図１０に示す可動パネル５２の状態
図６に示す状態で、図示しない操作スイッチにより前記接天部材駆動手段Ｄ及び接床部材駆動手段Ｄの電動モータ２６が駆動する。そのため、雄ねじ棒３０，３６が雌ねじ体２９，３５を移動し、レバー３２により接天部材１４が下動してレール１から間隙Ｓだけ離れるとともに、レバー３８により接床部材１５が上動して床面Ｆから間隙Ｓだけ離れる。
【００５９】
また、ドアシール部材６３が開口５４の上辺部５４ａ及び両側辺部５４ｂから離れた後、昇降ドア５５が開口５４で若干上昇し、接床部材１６（ドアシール部材）が圧縮コイルばね６８の弾性力により下動するとともに床面Ｆから間隙Ｓだけ離れる。
【００６０】
＊  図１０に示す状態で、各可動パネル５２，５３において前記可動パネル駆動手段Ｇの各ランナー２の電動モータ（図示せず）が駆動する。そのため、各可動パネル５２，５３が互いに開く。
【００６１】
＊  詳述しないが、各可動パネル５２，５３を閉じる場合には、逆に、図１０の状態を経て図６の状態に戻る。
＜第二実施形態の特徴＞
第二実施形態は下記＊の特徴（後記する他の技術的思想以外）を有する。
【００６２】
＊  荷物を持ったまま単にタッチセンサ５１に触れるだけで、このタッチセンサ５１からの電気的信号により、昇降ドア５５を自動的に開閉させることができる。従って、ドア装置Ｐの操作を容易に行うことができ、実用上便利である。
【００６３】
＊  接天部材１４及び接床部材１５，１６により、間仕切りの防音機能を高めることができる。
＊  可動パネル５２の接天部材駆動手段Ｄ及び接床部材駆動手段Ｄを自動的に駆動させることができる。従って、その操作を容易に行うことができ、実用上便利である。また、接天部材駆動手段Ｄ及び接床部材駆動手段Ｄにより、接天部材１４及び接床部材１５の接離を円滑に行うことができる。
【００６４】
＊  昇降ドア５５の接床部材駆動手段Ｅにより、接床部材１６の接離を円滑に行うことができる。
＊  ランナー２を利用して、各電動モータ６５，２６への給電を容易に行うことができる。
【００６５】
＊  ドアシール部材６３とドアシール部材としての接床部材１６とにより、間仕切りの防音機能を高めることができる。
〔第三実施形態〕
次に、本発明の第三実施形態にかかる間仕切りを図１１〜１４を参照して説明する。
【００６６】
＜図１１及び図１３に概略的に示すドア付き間仕切りの概要＞
この間仕切りにおいては、レール１が床面Ｆの上方で延設され、このレール１を走行し得る各ランナー２に各可動パネル６９，７０，７１が吊下された状態で支持されてレール１と床面Ｆとの間で並設されている。この各可動パネル６９，７０，７１は、互いに隣接する空間を開閉するようにレール１に沿って移動し得る。
【００６７】
各可動パネル６９，７０，７１のうち互いに隣接する所定の両可動パネル６９，７０においては、開口７２に対しスライドドア７３を開閉可能に支持したドア装置Ｐが設けられている。この両可動パネル６９，７０はドア駆動手段Ｃ（後で詳述）を備えている。
【００６８】
前記両可動パネル６９，７０においては、接天部材１４をレール１に対し接離させる接天部材駆動手段Ｄ（後で詳述）と、接床部材１５を床面Ｆに対し接離させる接床部材駆動手段Ｄ（後で詳述）とを備えている。また、前記スライドドア７３においては、図１２に示すように、接床部材１６（ドアシール部材）を床面Ｆに対し接離させる接床部材駆動手段Ｅ（後で詳述）を備えている。
【００６９】
そのほか、可動パネル駆動手段Ｇ（後で詳述）を備えている。
＜前記ドア駆動手段Ｃ＞
図１３に示すように、前記両可動パネル６９，７０の開口７２は、両可動パネル６９，７０を閉じたとき互いに隣接する。この両開口７２においては図１２に示すようにスライドドア７３の両側に面する上辺部７２ａ及び一側辺部７２ｂの内側でドアシール部材７４が貼着され、この両ドアシール部材７４は両可動パネル６９，７０を閉じたとき互いに隣接してコ字形状をなす。
【００７０】
図１１に示すように、前記両スライドドア７３は往復ベルト７５（連動部）により吊下されている。この両往復ベルト７５は電動モータ７６（電気的信号により駆動する駆動部）により回転する。そして、両往復ベルト７５の回転に伴い、両スライドドア７３は、その上側各ローラ７７及び下側各ローラ７８でガイド７９及び床面Ｆに支えられながら往復移動し、前記両開口７２を開閉する。
【００７１】
＜前記接天部材駆動手段Ｄ及び前記接床部材駆動手段Ｄ＞
この接天部材駆動手段Ｄ及び接床部材駆動手段Ｄは、第一実施形態の場合と同様な構成になっている。
【００７２】
＜前記接床部材駆動手段Ｅ＞
この接床部材駆動手段Ｅにおいては、前記両スライドドア７３の下辺部両側で、前記接床部材１６（ドアシール部材）が挿嵌され、各圧縮コイルばね６８により下方へ付勢されて突出している。前記ドアシール部材７４はこの接床部材１６（ドアシール部材）まで延設され、それらが両スライドドア７３の周辺部全体に対応する。
【００７３】
＜前記可動パネル駆動手段Ｇ＞
この可動パネル駆動手段Ｇは第一実施形態の場合と同様な構成になっている。
＜図示しない電気的制御手段＞
第一実施形態の電気的制御手段Ｈと同様に、前記可動パネル６９，７０内にコントローラが設置されている。このコントローラは、前記ドア駆動手段Ｃの電動モータ７６や、前記接天部材駆動手段Ｄ及び接床部材駆動手段Ｄの電動モータ２６や、前記各ランナー２の電動モータ（図示せず）等に接続されて、これらを駆動制御する。前記可動パネル６９にはタッチセンサ５１（ドアセンサ）が取り付けられ、コントローラに接続されている。このタッチセンサ５１は閉モード部と開モード部とを有している。
【００７４】
＜各可動パネル６９，７０，７１を閉じたまま両ドア７３を開く場合＞
＊  図１１及び図１２に示す両可動パネル６９，７０の状態
タッチセンサ５１が閉モード部に設定されていると、下記の状態になる。
【００７５】
両スライドドア７３によりが両開口７２が閉じられている。
前記接天部材駆動手段Ｄ及び接床部材駆動手段Ｄにおいては、接天部材１４が上動してレール１に接触しているとともに、接床部材１５が下動して床面Ｆに接触している。
【００７６】
前記接床部材駆動手段Ｅにおいては、接床部材１６（ドアシール部材）が床面Ｆに接触し、各圧縮コイルばね６８の弾性力に抗して上動している。
また、両開口７２にあるドアシール部材７４は、両スライドドア７３に接触している。
【００７７】
＊  図１３に示す両可動パネル６９，７０の状態
タッチセンサ５１に触れてこれを開モード部に設定すると、下記の状態になる。
【００７８】
図１１，１２に示す状態で、両往復ベルト７５が両電動モータ７６により回転し、両スライドドア７３が両開口７２を開く。この場合、前記接床部材駆動手段Ｅにおいては、接床部材１６（ドアシール部材）が床面Ｆに接触したままの状態である。また、両開口７２にあるドアシール部材７４は、両スライドドア７３から離れる。
【００７９】
＊  詳述しないが、両ドア７３を閉じる場合に、タッチセンサ５１に触れてこれを閉モード部に設定すると、逆に、図１３の状態から図１１の状態に戻る。
＜両ドア７３を閉じたまま各可動パネル６９，７０，７１を開く場合＞
＊  図１４に示す両可動パネル６９，７０の状態
図１１，１２に示す状態で、図示しない操作スイッチにより前記接天部材駆動手段Ｄ及び接床部材駆動手段Ｄの電動モータ２６が駆動する。そのため、雄ねじ棒３０，３６が雌ねじ体２９，３５を移動し、レバー３２により接天部材１４が下動してレール１から間隙Ｓだけ離れるとともに、レバー３８により接床部材１５が上動して床面Ｆから間隙Ｓだけ離れる。この場合、前記接床部材駆動手段Ｅにおいては、接床部材１６（ドアシール部材）が床面Ｆに接触したままの状態である。
【００８０】
各可動パネル６９，７０，７１において前記可動パネル駆動手段Ｇの各ランナー２の電動モータ（図示せず）が駆動する。そのため、両可動パネル６９，７０が互いに開く。
【００８１】
＊  詳述しないが、各可動パネル６９，７０，７１を閉じる場合には、逆に、図１４の状態から図１１の状態に戻る。
＜第三実施形態の特徴＞
第三実施形態は下記＊の特徴（後記する他の技術的思想以外）を有する。
【００８２】
＊  荷物を持ったまま単にタッチセンサ５１に触れるだけで、このタッチセンサ５１からの電気的信号により、両スライドドア７３を自動的に開閉させることができる。従って、ドア装置Ｐの操作を容易に行うことができ、実用上便利である。
【００８３】
＊  接天部材１４及び接床部材１５，１６により、間仕切りの防音機能を高めることができる。
＊  可動パネル６９，７０の接天部材駆動手段Ｄ及び接床部材駆動手段Ｄを自動的に駆動させることができる。従って、その操作を容易に行うことができ、実用上便利である。また、接天部材駆動手段Ｄ及び接床部材駆動手段Ｄにより、接天部材１４及び接床部材１５の接離を円滑に行うことができる。
【００８４】
＊  スライドドア７３の接床部材駆動手段Ｅにより、接床部材１６の接離を円滑に行うことができる。
＊  ランナー２を利用して、各電動モータ７６，２６への給電を容易に行うことができる。
【００８５】
＊  ドアシール部材７４とドアシール部材としての接床部材１６とにより、間仕切りの防音機能を高めることができる。
〔他の実施形態〕
前記実施形態以外にも下記＊のように構成してもよい。
【００８６】
＊  前記実施形態では、ドアセンサとして、タッチセンサ５１を利用したが、そのほか例えば光センサなどを利用する。
＊  前記実施形態では、電気的信号により駆動する駆動部として、電動モータ１９，２２，２６，６５，７６を利用したが、そのほか例えば電磁ソレノイドなどを利用する。
【００８７】
〔他の技術的思想〕
各実施形態から把握できる技術的思想（請求項以外）を効果と共に記載する。
＊  第二実施形態に対応する発明
請求項６において、ドア（昇降ドア５５）は、支持枠５６と、この支持枠５６の両側に位置する両ドア板５７と、この支持枠５６に対し両ドア板５７を接近離間させる接離機構５８とを備え、ドアシール部材６３はこの両ドア板５７に取着されている。そして、このドアシール部材６３は、ドア（昇降ドア５５）を閉じた状態で開口５４に圧接され、ドア（昇降ドア５５）を開いた状態で可動パネル５２に圧接される。従って、間仕切りの防音機能を高めることができるばかりではなく、それぞれの状態でドア（昇降ドア５５）を確実に位置決めすることができる。
【００８８】
【発明の効果】
請求項１又は２の発明にかかるドア付き間仕切りによれば、ドア（８，９，５５）が自動的に開閉するので、ドア装置（Ｐ）の操作を容易に行うことができ、実用上便利である。
請求項３の発明によれば、請求項１又は２の発明の効果に加え、接天部材（１４）及び接床部材（１５，１６）により間仕切りの防音機能を高めることができる。
【００８９】
請求項４の発明によれば、請求項３の発明の効果に加え、可動パネル（３，４，５２）の接天部材駆動手段（Ｄ）及び接床部材駆動手段（Ｄ）が自動的に駆動するので、その操作を容易に行うことができ、実用上便利である。
【００９０】
請求項５の発明によれば、請求項４の発明の効果に加え、ドア（８，９，５５）の接床部材駆動手段（Ｅ）により接床部材（１６）の接離を円滑に行うことができる。
【００９１】
請求項６の発明によれば、請求項１から請求項５のうちいずれか１項の発明の効果に加え、ランナー（２）を利用して各駆動部（１９，２２，２６，６５）への給電を容易に行うことができる。
【００９２】
請求項７の発明によれば、請求項２から請求項６のうちいずれかの請求項の発明の効果に加え、ドアシール部材（６３，１６）により間仕切りの防音機能を高めることができる。
【図面の簡単な説明】
【図１】  （ａ）は第一実施形態にかかるドア付き間仕切りにおいて各可動パネルを互いに閉じるとともにすべてのドアを閉じた状態を示す概略斜視図であり、（ｂ）は（ａ）の状態から各ドアの一部を開いた状態を示す概略斜視図であり、（ｃ）は同じくすべてのドアを開いた状態を示す概略斜視図である。
【図２】  図１（ａ）の状態を示す概略断面図である。
【図３】  図１（ｂ）の状態を示す概略断面図である。
【図４】  第一実施形態にかかるドア付き間仕切りにおいてすべてのドアを閉じた状態で各可動パネルを互いに開く過程を示す概略断面図である。
【図５】  図４の状態からさらに各可動パネルを互いに開く過程を示す概略断面図である。
【図６】  第二実施形態にかかるドア付き間仕切りにおいて各可動パネルを互いに閉じるとともにドアを閉じた状態を示す概略断面図である。
【図７】  （ａ）は図６の状態にあるドア装置を示す概略断面図であり、（ｂ）は（ａ）の状態からドアを開く過程を示す概略断面図である。
【図８】  第二実施形態にかかるドア付き間仕切りにおいて各可動パネルを互いに閉じるとともにドアを開いた状態を示す概略断面図である。
【図９】  （ａ）は図７（ｂ）の状態からドアを開く過程を示す概略断面図であり、（ｂ）は図８の状態にあるドア装置を示す概略断面図である。
【図１０】  第二実施形態にかかるドア付き間仕切りにおいてドアを閉じた状態で各可動パネルを互いに開く過程を示す概略断面図である。
【図１１】  第三実施形態にかかるドア付き間仕切りにおいて各可動パネルを互いに閉じるとともに各ドアを閉じた状態を示す概略断面図である。
【図１２】  図１１の状態にあるドア装置を示す概略断面図である。
【図１３】  第三実施形態にかかるドア付き間仕切りにおいて各可動パネルを互いに閉じるとともに各ドアを開いた状態を示す概略断面図である。
【図１４】  第三実施形態にかかるドア付き間仕切りにおいて各ドアを閉じた状態で各可動パネルを互いに開く過程を示す概略断面図である。
【符号の説明】
１…レール、２…ランナー、３，４…可動パネル、６，７…片側開口、８，９…片側ドア、１４…接天部材、１５…接床部材、１６…接床部材（ドアシール部材）、１９，２２，６５，７６…電動モータ（駆動部）、２０，２３，６４，７５…連動部、２６…電動モータ（駆動部）、２７，２８…連動部、３９…駆動機構、５１…タッチセンサ（ドアセンサ）、５２，６９，７０…可動パネル、５４，７２…開口、５５，７３…ドア、６３，７４…ドアシール部材、Ａ，Ｂ，Ｃ…ドア駆動手段、Ｄ…接天部材駆動手段及び接床部材駆動手段、Ｅ…接床部材駆動手段、Ｆ…床面、Ｈ…ドア制御手段、。
【図１】
0003649857.tif 000002
【図２】
0003649857.tif 000003
【図３】
0003649857.tif 000004
【図４】
0003649857.tif 000005
【図５】
0003649857.tif 000006
【図６】
0003649857.tif 000007
【図７】
0003649857.tif 000008
【図８】
0003649857.tif 000009
【図９】
0003649857.tif 000010
【図１０】
0003649857.tif 000011
【図１１】
0003649857.tif 000012
【図１２】
0003649857.tif 000013
【図１３】
0003649857.tif 000014
【図１４】
0003649857.tif 000015